(57)【要約】【課題】揚上装置を所定設置位置に容易に移動して設置でき、必要時は容易に取外しができる揚上装置の設置機構を提供する。揚上装置の設置時に所定位置に容易正確に案内できるようにする。【解決手段】揚上装置の底部の前後に設けられ、床面上走行を可能にする２対のローラと、前記床面に設置されるベースの上面に形成され、揚上装置がベース上の所定設置位置まで移動された場合に前ローラを嵌入させて固定する凹部とで構成した。また、ベースの左右両側に、ベース上面を走行される揚上装置の左右両側を凹部の方向に案内するガイドを設けた。【選択図】　　　図３
2004073378.tif 000002
【特許請求の範囲】
【請求項１】
揚上装置の底部の前後に設けられ、揚上装置の床面上の走行を可能にする２対のローラと、前記床面に設置されるベースの上面に形成され、前記揚上装置が前記ベース上の所定設置位置まで移動された場合に、前記揚上装置の前側の一対のローラを嵌入させて固定する凹部とからなるパチンコ玉揚上装置の設置機構。
【請求項２】
ベースの左右両側に、ベース上面を走行される揚上装置の左右両側を設置位置方向に案内するガイドを設けたことを特徴とする請求項１に記載されたパチンコ玉揚上装置の設置機構。
【発明の詳細な説明】
【０００１】
【発明の属する技術分野】
本発明は、パチンコ玉揚上装置（以下、単に揚上装置という。）を所定位置に設置するための機構に関する。
【０００２】
【従来の技術】
一般に、揚上装置は、遊技機から外れ玉として排除され、回収用搬送装置により回収位置まで搬送されてきたパチンコ玉を回転される搬送ベルトと固定された研磨布により磨きながらリサイクル補給用の上部タンクまで揚送するために用いられるが、高さが２〜３ｍ程度のフレームの上下に駆動プーリと従動プーリを設けるとともに、それらの間に無端ベルトからなる搬送ベルトを巻回し、また、中間にテンションプーリを設けて搬送ベルトを張設し、そのフレームの下部には駆動プーリに回転力を与えるモータを取付け、さらに、フレームには、搬送ベルトの上昇面側に研磨布を保持し、かつ、その研磨布にパチンコ玉を一列ずつ案内するための溝を形成するレール体を取付けた扉を、研磨布の交換のために開閉自在に取付けて、構成されている。
【０００３】
そして、上記の揚上装置を設置する時は、所定設置位置の床に設けたベースの上に載せて固定するのであるが、揚上装置は上記構成により高さと相当の重量を有するので、その揚上装置を複数人で傾かないように抱えながら、ベースの正確な位置まで持ち上げて、ベースの所定位置まで移動し、固定しなければならなかった。
また、揚上装置のメンテナンスを行う時は、作業をし易い位置に移動する必要があるが、この際も同様に、揚上装置を複数人で傾かないように抱えながらベースから移動する必要があった。
【０００４】
【発明が解決しようとする課題】
従って、従来は、揚上装置をベースの所定位置に設置し又はメンテナンスのためのベースから取外す時は、揚上装置が高く、重いので移動が困難であり、設置又は取外しに人手と時間がかかるほか、揚上装置の転倒の危険が多いという問題があった。
【０００５】
本発明は、上記の点に鑑みてなされたものであり、その一つの課題は、揚上装置をベースの所定位置に容易に移動して簡単に設置でき、また、必要時は容易に取外すことができるようにした揚上装置の設置機構を提供することにある。
もう一つの課題は、上記揚上装置の設置機構において、揚上装置の設置時にベースの所定位置に容易かつ正確に案内できるようにすることにある。
【０００６】
【課題を解決するための手段】
上記第１の課題を解決するため、請求項１の発明に係る揚上装置の設置機構は、揚上装置側に設けられる第１の構成部材と、ベース側に設けられる第２の構成部材とからなる。第１の構成部材は、揚上装置の底部に前後に設けられ、揚上装置の床面上の走行を可能にする２対のローラである。第２の構成部材は、ベースの上面に形成され、揚上装置がベース上の所定位置まで移動された場合に、前記揚上装置の前側の一対のローラを嵌入させて固定する凹部である。
上記構成により、揚上装置を２対のローラにより床面上を走行させて、ベースに接近させ、揚上装置を少し傾けて前側のローラをベース上面に載せ、揚上装置を後側のローラでさらに走行させた後、持上げて所定位置まで押し込むと、前側のローラがベースの凹部に嵌入して固定され、所定位置に設置される。
【０００７】
上記第２の課題を解決するため、請求項２の発明に係る揚上装置の設置機構は、ベースの左右両側に、ベース上面を走行される揚上装置の左右両側を設置位置方向に案内するガイドを設けたことを特徴としている。
上記構成より、揚上装置の前側のローラをベース上面に載せて走行する時に、揚上装置の左右両側がガイドに案内されるため、揚上装置を前側のローラが凹部に嵌入される所定位置に容易確実に移動することができる。
【０００８】
【発明の実施の形態】
次に、本発明の実施の形態について、添付図面を参照して説明する。
図１は本発明に係る設置機構を用いて揚上装置をベースの所定位置に設置した状態を示す正面図、図２は同じく側面図である。図３は設置機構の構成部材を示す図であり、揚上装置はその底面から見た状態で、ベースはその上面から見た状態で示されている。図４は、揚上装置を床面からベースの所定位置に設置するまでの作用説明図である。
【０００９】
各図において、Ａは揚上装置であり、その本体は従来装置と同一である。すなわち、フレーム１の上下に設けられた駆動プーリと従動プーリの間に中間のテンションプーリを介して無端ベルトからなる搬送ベルトを巻回してを張設し、フレーム１の下部に駆動プーリに回転力を与えるモータ２を取付け、フレーム１の正面側、すなわち、搬送ベルトの上昇面側に研磨布を保持し、かつ、その研磨布にパチンコ玉を一列ずつ案内するための溝を形成するレール体を取付けた扉３を開閉自在に取付けて構成されており、下部には、各遊戯台の下方を回収用搬送装置により搬送されてくるパチンコ玉を受入れて、回転される搬送ベルトの下端部と研磨布の間に流し込む回収箱４が設けられ、また、上部には、回転される搬送ベルトの上端部と研磨布との間から排出されるパチンコ玉を上部タンク（不図示）に向けて放出するシュート５が設けられている。
なお、本発明の要旨に関わりがないので、上記各プーリ、搬送ベルト、レール体は図示されていない。
【００１０】
揚上装置Ａの底部には取付板６（図３参照）が固着され、その取付板の前後にそれぞれ１対の走行ローラ７，８が回転自在に取付けられている。ローラ７，８は、取付板６よりも若干下方に突出しているので、揚上装置Ａは、直立姿勢でも走行可能である。後側のローラ８は、揚上装置Ａの上部を後側に少し傾けても容易に走行可能なように取付けられている。
【００１１】
取付板６の前端部中央には、ほぼＶ字形に切欠して形成された嵌合部６ａ（図３参照）が設けられている。
【００１２】
各図において、Ｂは揚上装置Ａを前記回収箱４が搬送装置の搬送端に符合し、シュート５が上部タンクに符合するように設置すべき所定位置において床面に静置されたベースである。このベースＢは、矩形の基板９の左右両側に前後方向に長い補強部材１０を、また、基板９の先方側の中央に小さな矩形の補強部材１１をそれぞれ固着し、補強部材１０の前部と補強部材１１とに、三角形の各頂点に対応する位置において、高さ調整ボルト１２をねじ込んで、構成してある。
【００１３】
そして、基板９の上面の左右の補強部材１０の間に、フレーム１３が固着されている。このフレーム１３は、揚上装置Ａの取付板６とほぼ同一形状に形成され、その前端部中央上面に、揚上装置Ａの取付板６の嵌合部６ａに対応する突起１３ａが設けられている。また、フレーム１３には、その突起よりもやや前方の左右両側に、揚上装置Ａの前側のローラ７，８が嵌入するように形成された凹部１４が設けられている。
【００１４】
さらに、フレーム１３には、一例として、その左右両側端縁を直立に折曲げて形成されたガイド１５が設けられている。左右両側端縁を直立に折曲げて形成することに代えて、別部材で形成されたものを接続してもよい。この左右のガイド間の距離は、揚上装置Ａの取付板６の幅とほぼ等しくされている。
【００１５】
好ましい実施の形態においては、揚上装置Ａの取付板６の左右の前端部には、取付板６の左右のガイド１５の先端部間への挿入を容易にするために隅切り６ｂがされ、また、取付板６の所定位置以上の挿入を阻止するための突起６ｃが設けられている。
【００１６】
上記構成の設置機構による、揚上装置ＡをベースＢにより所定位置に設置する場合の作用を図４に基づいて説明する。
揚上装置Ａを床面上で押し、前後のローラ７，８又は後ろのローラ８のみで走行させて、図４（ａ）に示すように、ベースＢの至近位置まで移動する。次に、図４（ｂ）に示すように、前ローラ７をベースＢのフレーム１３の上面に載せられる程度に揚上装置Ａを後側に少し傾けて、そのまま揚上装置Ａを押して走行させて前ローラ７をフレーム１３上面に載せ、揚上装置Ａの後部を少し持上げて、又は持上げずに、揚上装置Ａを前ローラ７により走行させて、ベースＢの奥の方に移動する。この場合、揚上装置Ａの取付板６はその左右両側部分がベースＢの左右のガイド１５により案内されるため、前ローラ７は、正確に凹部１４に向かって転動する。そして、揚上装置Ａが所定位置まで移動されると、取付板６の嵌合部６ａにベースＢのフレーム１３上の突起１３ａが嵌合して、揚上装置ＡのベースＢに対する左右方向の遊びが抑止される。また、揚上装置Ａが所定位置まで移動された時は、図４（ｃ）に示すように、前ローラ７か凹部１４に嵌入して、移動困難な状態で停止される。
【００１７】
上述のようにしてベースの所定位置に設置された揚上装置は、例えばメンテナンスのため、手前側に引いて前ローラ７を凹部１４から脱出させれば、その後は手前方向に引いて容易に出すことができる。
【００１８】
上述のように、揚上装置Ａはベースのガイドにより案内されるので、容易に所定位置に移動させることができ、従来と異なり、位置決めのための位置調整に暇手間が取られることがない。また、前ローラ７をベース上に載せた後は、所定位置まで走行させると、前ローラ７が凹部１４に簡単に嵌入して所定位置に固定されるので、従来と異なり、重い揚上装置を持上げて移動する必要がない。
【００１９】
図３において、１６、１７は、それぞれ揚上装置の取付板６及びベースＢのフレーム１３に形成された切り欠きなどの指標であり、揚上装置をベースＢの所定位置まで移動された時に、両切り欠きが上下方向に貫通する位置に設けてある。従って、両切り欠きが上下方向に貫通しているか否かにより、揚上装置がベース上の所定設置に到達したか否かを容易に確認することができる。
【００２０】
【発明の効果】
上述したように、請求項１の発明によれば、揚上装置をベースの所定位置に容易に移動して簡単に設置でき、また、必要時は容易に取外すことができる。
また、請求項２の発明によれば、揚上装置は、設置時に前ローラがベースの所定位置の凹部に向けて容易かつ正確に案内されるので、設置が一層簡単になる。
【図面の簡単な説明】
【図１】本発明に係る設置機構を用いて揚上装置をベースの所定位置に設置した状態を示す正面図。
【図２】同じく側面図。
【図３】設置機構の構成部材を示す図。
【図４】揚上装置を床面からベースの所定位置に設置するまでの作用説明図。
【符号の説明】
Ａ　　揚上装置
６　　取付板
７　　前ローラ
８　　後ローラ
Ｂ　　ベース
９　　基板
１０，１１　　補強部材
１３　　　フレーム
１４　　凹部
１５　　ガイド
【図１】
2004073378.tif 000003
【図２】
2004073378.tif 000004
【図３】
2004073378.tif 000005
【図４】
2004073378.tif 000006